【手続補正書】
【提出日】平成17年9月30日(2005.9.30)
【手続補正１】
【補正対象書類名】明細書
【補正対象項目名】特許請求の範囲
【補正方法】変更
【補正の内容】
【特許請求の範囲】
【請求項１】  式Ｉ
Ｒ１−［（Ａ）ａ−（Ｂ）ｂ−（Ｃ）ｃ］ｎ−Ｒ２        Ｉ
式中、
ＡおよびＣは、互いに独立して、−ＣＸ１＝ＣＸ２−、−Ｃ≡Ｃ−または随意に置換されたアリーレンまたはヘテロアリーレンであり、
Ｘ１およびＸ２は、互いに独立して、Ｈ、Ｆ、ＣｌまたはＣＮであり、
Ｂは、随意に１つまたは２つ以上の基Ｒで置換された、２，５−ベンゾ［ｂ］チオフェンまたは２，２’−ビスベンゾ［ｂ］チオフェンであり、
Ｒは、Ｈ、ハロゲン、非置換であるか、Ｆ、Ｃｌ、Ｂｒ、ＩまたはＣＮにより一置換または多置換されていることができる、１〜２０個のＣ原子を有する直鎖状、分枝状または環状アルキルであり、また、１つまたは２つ以上の隣接していないＣＨ２基が、各々の場合において、互いに独立して、Ｏおよび／またはＳ原子が互いに直接結合しないように、−Ｏ−、−Ｓ−、−ＮＨ−、−ＮＲ０−、−ＳｉＲ０Ｒ００−、−ＳｎＲ０Ｒ００−、−ＣＯ−、−ＣＯＯ−、−ＯＣＯ−、−ＯＣＯ−Ｏ−、−Ｓ−ＣＯ−、−ＣＯ−Ｓ−、−ＣＨ＝ＣＨ−または−Ｃ≡Ｃ−により置換されていることができ、随意に置換されたアリールまたはヘテロアリール、あるいはＰ−Ｓｐ−Ｘであり、
Ｒ１およびＲ２は、互いに独立して、Ｒの意味の１つを有し、
Ｒ０、Ｒ００は、互いに独立して、Ｈまたは１〜１２個のＣ原子を有するアルキルであり、
Ｐは、重合可能な、または反応性基であり、
Ｓｐは、スペーサー基または単結合であり、および
Ｘは、−Ｏ−、−Ｓ−、−ＯＣＨ２−、−ＣＨ２Ｏ−、−ＣＯ−、−ＣＯＯ−、−ＯＣＯ−、−ＯＣＯ−Ｏ−、−ＣＯ−ＮＲ０−、−ＮＲ０−ＣＯ−、−ＯＣＨ２−、−ＣＨ２Ｏ−、−ＳＣＨ２−、−ＣＨ２Ｓ−、−ＣＨ＝ＣＨ−ＣＯＯ−、−ＯＯＣ−ＣＨ＝ＣＨ−または単結合であり、
ａ、ｂ、ｃは、互いに独立して、０または１であり、ａ＋ｂ＋ｃ＞０であり、ここで、少なくとも１つの繰り返し単位［（Ａ）ａ−（Ｂ）ｂ−（Ｃ）ｃ］において、ｂは１であり、および
ｎは、≧１の整数であり、
ここで、繰り返し単位［（Ａ）ａ−（Ｂ）ｂ−（Ｃ）ｃ］は、同一であるかまたは異なることができ、
ただし、ｎが１であり、ａおよびｃが０である場合には、Ｒ、Ｒ１およびＲ２の少なくとも１つは、Ｐ−Ｓｐ−Ｘである、
で表される、モノマー、オリゴマーまたはポリマー。
【請求項２】  Ｂが、以下の式
【化１】
2003176286.tif 000001
式中、Ｒ３〜Ｒ１０は、互いに独立して、式ＩにおけるＲの意味の１つを有する、
から選択されている、請求項１に記載のモノマー、オリゴマーまたはポリマー。
【請求項３】  ｎが、１〜５０００の整数である、請求項１または２に記載のモノマー、オリゴマーまたはポリマー。
【請求項４】  Ｒ３〜Ｒ１０が、互いに独立して、随意に１個または２個以上のフッ素原子で置換されたＣ１〜Ｃ２０アルキル、Ｃ１〜Ｃ２０アルケニル、Ｃ１〜Ｃ２０アルキニル、Ｃ１〜Ｃ２０アルコキシ、Ｃ１〜Ｃ２０チオエーテル、Ｃ１〜Ｃ２０シリル、Ｃ１〜Ｃ２０エステル、Ｃ１〜Ｃ２０アミノ、Ｃ１〜Ｃ２０フルオロアルキルあるいは随意に置換されたアリールまたはヘテロアリールから選択されている、請求項１〜３のいずれかに記載のモノマー、オリゴマーまたはポリマー。
【請求項５】  Ｒ３およびＲ４が、互いに独立して、随意に１個または２個以上のフッ素原子で置換されたＣ１〜Ｃ２０アルキル、Ｃ１〜Ｃ２０アルケニル、Ｃ１〜Ｃ２０アルキニル、Ｃ１〜Ｃ２０アルコキシ、Ｃ１〜Ｃ２０チオエーテル、Ｃ１〜Ｃ２０シリル、Ｃ１〜Ｃ２０エステル、Ｃ１〜Ｃ２０アミノ、Ｃ１〜Ｃ２０フルオロアルキルあるいは随意に置換されたアリールまたはヘテロアリールから選択されており、Ｒ５〜Ｒ１０が、Ｈである、請求項４に記載のモノマー、オリゴマーまたはポリマー。
【請求項６】  ｎが１〜１５の整数であり、Ｒ１およびＲ２の一方または両方が、Ｐ−Ｓｐ−Ｘを示す、請求項１〜５のいずれかに記載のモノマー、オリゴマーまたはポリマー。
【請求項７】  ｎが、２〜５０００の整数である、請求項１〜６のいずれかに記載のオリゴマーまたはポリマー。
【請求項８】  Ｐが、ＣＨ２＝ＣＷ１−ＣＯＯ−、
【化２】
2003176286.tif 000002
ＣＨ２＝ＣＷ２−（Ｏ）ｋ１−、ＣＨ３−ＣＨ＝ＣＨ−Ｏ−、ＨＯ−ＣＷ２Ｗ３−、ＨＳ−ＣＷ２Ｗ３−、ＨＷ２Ｎ−、ＨＯ−ＣＷ２Ｗ３−ＮＨ−、ＣＨ２＝ＣＷ１−ＣＯ−ＮＨ−、ＣＨ２＝ＣＨ−（ＣＯＯ）ｋ１−Ｐｈｅ−（Ｏ）ｋ２−、Ｐｈｅ−ＣＨ＝ＣＨ−、ＨＯＯＣ−、ＯＣＮ−およびＷ４Ｗ５Ｗ６Ｓｉ−から選択されており、Ｗ１は、Ｈ、Ｃｌ、ＣＮ、フェニルまたは１〜５個のＣ原子を有するアルキル、特にＨ、ＣｌまたはＣＨ３であり、Ｗ２およびＷ３は、互いに独立して、Ｈまたは１〜５個のＣ原子を有するアルキル、特にメチル、エチルまたはｎ−プロピルであり、Ｗ４、Ｗ５およびＷ６は、互いに独立して、Ｃｌ、１〜５個のＣ原子を有するオキサアルキルまたはオキサカルボニルアルキルであり、Ｐｈｅは、１，４−フェニレンであり、ｋ１およびｋ２は、互いに独立して０または１である、請求項１〜７のいずれかに記載のモノマー、オリゴマーまたはポリマー。
【請求項９】  以下の式
【化３】
2003176286.tif 000003
【化４】
2003176286.tif 000004
【化５】
2003176286.tif 000005
式中、Ｒ１〜Ｒ１０は、互いに独立して、式ＩにおけるＲの意味の１つを有し、Ａｒは、アリーレンまたはヘテロアリーレンであり、ｎは、１〜５０００の整数である、
から選択されている、請求項１〜８のいずれかに記載のモノマー、オリゴマーまたはポリマー。
【請求項１０】  少なくとも１つの重合可能な基および随意に、１種または２種以上の他の重合可能な化合物を含み、ここで、請求項１〜９のいずれかに記載の重合可能なモノマー、オリゴマーおよびポリマーの少なくとも１種および／または他の重合可能な化合物が、中間相形成性または液晶性である、請求項１〜９のいずれかに記載の１種または２種以上のモノマー、オリゴマーまたはポリマーを含む重合可能な液晶材料。
【請求項１１】  液晶相において巨視的に均一な配列に配向し、重合または架橋して、配向した状態を固定する、請求項１０に記載の重合可能な液晶材料から得られる電荷移動特性を有する異方性ポリマーフィルム。
【請求項１２】  請求項１〜１０のいずれかに記載の１種または２種以上のモノマーまたはオリゴマーまたは重合可能な材料の重合により、または、請求項１〜１０のいずれかに記載の１種または２種以上のモノマーまたはオリゴマーまたは重合可能な材料を、随意に、１種または２種以上の追加の中間相形成性または非中間相形成性コモノマーと共に、重合類似反応において、ポリマー主鎖にグラフトすることにより得られた、側鎖液晶ポリマー。
【請求項１３】  請求項１〜１２のいずれかに記載のモノマー、オリゴマーまたはポリマー、重合可能な材料またはポリマーの、特に光学的、電気光学的または電子装置、例えば集積回路の部品、電界効果トランジスタ（ＦＥＴ）、例えば平坦パネルディスプレイ用途における薄膜トランジスタとして、または電波方式認識（ＲＦＩＤ）タグ、あるいは有機発光ダイオード（ＯＬＥＤ）用途、例えばエレクトロルミネセントディスプレイまたは例えば液晶ディスプレイのバックライト、光起電またはセンサー装置のための、電池における電極材料として、光導電体として、および電子写真式用途、例えば電子写真式記録用の半導電性部品における半導体または電荷移動材料としての使用。
【請求項１４】  請求項１〜１２のいずれかに記載の１種または２種以上のモノマー、オリゴマーまたはポリマー、重合可能な材料またはポリマーを含む１種または２種以上の本発明のモノマー、オリゴマーまたはポリマーを含む、例えば集積回路の部品として、平坦パネルディスプレイ用途における薄膜トランジスタとして、または電波方式認識（ＲＦＩＤ）タグにおける電界効果トランジスタ。
【請求項１５】  請求項１〜１２のいずれかに記載の１種または２種以上のモノマー、オリゴマーまたはポリマー、重合可能な材料またはポリマーあるいは請求項１４に記載のＦＥＴまたはＲＦＩＤタグを含む、セキュリティーマーキングまたは装置。
【請求項１６】  酸化的にまたは還元的にドーピングされて、導電性イオン性種を形成した、請求項１〜１２のいずれかに記載のモノマー、オリゴマーまたはポリマー、材料またはポリマー。
【請求項１７】  請求項１６に記載のモノマー、オリゴマーまたはポリマー、材料あるいはポリマーを含む、電荷注入層、平坦化層、帯電防止フィルムあるいは電子的用途または平坦パネルディスプレイ用の導電性基板またはパターン。
【手続補正２】
【補正対象書類名】明細書
【補正対象項目名】０００１
【補正方法】変更
【補正の内容】
【０００１】
【発明の属する技術分野】
本発明は、新規な共役したベンゾ［ｂ］チオフェン（チアナフテン）およびビスベンゾ［ｂ］チオフェン（ビチアナフテン）のモノマー、オリゴマーおよびポリマーに関する。本発明はさらに、電界効果トランジスタ、エレクトロルミネセント、光起電およびセンサー装置を含む、光学的、電気光学的または電子装置における、半導体または電荷移動材料としての、これらの使用に関する。本発明はさらに、新規なモノマー、オリゴマーまたはポリマーを含む電界効果トランジスタおよび半導電性部品に関する。
【手続補正３】
【補正対象書類名】明細書
【補正対象項目名】００１６
【補正方法】変更
【補正の内容】
【００１６】
ａ、ｂ、ｃは、互いに独立して、０または１であり、ａ＋ｂ＋ｃ＞０であり、ここで、少なくとも１つの繰り返し単位［（Ａ）ａ−（Ｂ）ｂ−（Ｃ）ｃ］において、ｂは１であり、および
ｎは、≧１の整数であり、
ここで、繰り返し単位［（Ａ）ａ−（Ｂ）ｂ−（Ｃ）ｃ］は、同一であるかまたは異なることができ、
ただし、ｎが１であり、ａおよびｃが０である場合には、Ｒ、Ｒ１およびＲ２の少なくとも１つは、Ｐ−Ｓｐ−Ｘである、
で表される、モノマー、オリゴマーまたはポリマーである。
【手続補正４】
【補正対象書類名】明細書
【補正対象項目名】００１７
【補正方法】変更
【補正の内容】
【００１７】
本発明の他の目的は、本発明のモノマー、オリゴマーまたはポリマーの、半導体または電荷移動材料として、特に光学的、電気光学的または電子装置において、例えば集積回路の部品、電界効果トランジスタ（ＦＥＴ）、例えば平坦パネルディスプレイ用途における薄膜トランジスタとして、または電波方式認識（ＲＦＩＤ）タグ、または有機発光ダイオード（ＯＬＥＤ）用途、例えばエレクトロルミネセントディスプレイまたは例えば液晶ディスプレイのバックライト、光起電またはセンサー装置、電池における電極材料、光導電体および電子写真式用途、例えば電子写真式記録のための半導電性部品における使用である。